(57)【要約】【課題】便鉢後方の収納空間を有効に利用し、かつ洗浄水を良好に便鉢に供給することができる洋風水洗式便器を提供する。【解決手段】洋風水洗式便器は、水封部４の下流側に便器排水路５が連通する便器本体１と、便器本体１に設けられ、外部から洗浄水が供給される給水管１０に給水口１１０が接続され、便鉢２に吐水口１９５から洗浄水を吐水する給水装置１００とを備えている。給水装置１００、給水口１１０及び吐水口１９５は便鉢２の後方かつ便器本体１の左右の一方側に配置されている。【選択図】図１
2008240401.tif 000002
【特許請求の範囲】
【請求項１】
水封部の下流側に便器排水路が連通する便器本体と、該便器本体に設けられ、外部から洗浄水が供給される給水管に給水口が接続され、便鉢に吐水口から洗浄水を吐水する給水装置とを備えた洋風水洗式便器において、
前記給水装置、前記給水口及び前記吐水口は、前記便鉢の後方かつ前記便器本体の左右の一方側に配置されていることを特徴とする洋風水洗式便器。
【請求項２】
前記給水装置は、前記便鉢の後方に外周壁によって囲まれた収納空間に一部が上方に突出されて収納されている請求項１記載の洋風水洗式便器。
【請求項３】
前記給水装置は、前記給水管と前記給水口により連通する第１導水管に対し、止水弁機構、ストレーナ、開閉弁機構及びバキュームブレーカー機構がこの順で設けられ、前記便鉢に前記吐水口から洗浄水を供給する給水部と、
該給水部の下流と連通し、エゼクタ及びタンクがこの順で設けられた準備部と、
該タンクと連通し、該便鉢に該吐水口から洗浄水を供給する第２導水管とを有し、
該給水部、該準備部及び該第２導水管が前記一方側に配置されている請求項１又は２記載の洋風水洗式便器。
【請求項４】
前記開閉弁機構、前記バキュームブレーカー機構、前記エゼクタ及び前記タンクは、設置時に上方からこの順で縦に配置されている請求項３記載の洋風水洗式便器。
【請求項５】
前記便器排水路から空気を吸引する吸気装置をさらに備え、
該吸気装置は前記便鉢の後方かつ前記便器本体の左右の他方側に配置されている請求項１乃至４のいずれか１項記載の洋風水洗式便器。
【請求項６】
前記吸気装置は前記便器排水路の上方に配置されている請求項５記載の洋風水洗式便器。
【発明の詳細な説明】
【技術分野】
【０００１】
本発明は洋風水洗式便器に関する。
【背景技術】
【０００２】
特許文献１の図１に従来の洋風水洗式便器が開示されている。この洋風水洗式便器は、水封部の下流側に便器排水路が連通する便器本体を備えている。また、この洋風水洗式便器は、便器本体に設けられ、外部から洗浄水が供給される給水管に給水口が接続され、便鉢の上部及び水封部の２箇所のそれぞれ別の吐水口から洗浄水を吐水する給水装置を備えている。給水装置は便鉢の後方かつ便器本体の上面近傍にベースプレートを介して取り付けられている。特に、給水装置は、便器本体の右側（便器本体の後方から見た場合。以下、同様。）に配置され、給水口は便器本体の左右の中心に配置されている。また、便鉢の上部に吐水する吐水口は便器本体の左側に配置され、水封部に吐水する吐水口は便器本体の左右の中心の下部に配置されている。
【０００３】
このような構成である従来の洋風水洗式便器は、ベースプレートにより給水装置を便鉢の後方に容易に配置することができる。また、給水装置が便鉢の後方かつ便器本体の上面近傍に配置されているため、施工及びメンテナンスを容易に行うことができる。
【０００４】
【特許文献１】特開平１１−７１８０２号公報
【発明の開示】
【発明が解決しようとする課題】
【０００５】
しかし、上記従来の洋風水洗式便器では、便鉢の後方かつ便器本体の上面近傍より下方の空間に配置されるものが少なく、この下方空間が有効に利用されていない。また、これでは、給水装置、給水口及び各吐水口が左右方向又は上下方向にずれた位置に配置されている。このため、給水装置の給水口から各吐水口までの給水路は、左右方向及び上下方向に屈曲する回数が多く、圧力損失の大きいものになっている。このため、この給水路を通過する洗浄水は、水圧の低下が大きく、便鉢へ吐水される際に水勢が弱くなる。
【０００６】
本発明は、上記従来の実情に鑑みてなされたものであって、便鉢の後方の下方空間を有効に利用し、かつ洗浄水を良好に便鉢に供給することができる洋風水洗式便器を提供することを解決すべき課題としている。
【課題を解決するための手段】
【０００７】
本発明の洋風水洗式便器は、水封部の下流側に便器排水路が連通する便器本体と、該便器本体に設けられ、外部から洗浄水が供給される給水管に給水口が接続され、該便鉢に吐水口から洗浄水を吐水する給水装置とを備えた洋風水洗式便器において、
前記給水装置、前記給水口及び前記吐水口は、前記便鉢の後方かつ前記便器本体の左右の一方側に配置されていることを特徴とする。
【０００８】
このような構成である本発明の洋風水洗式便器では、給水装置を便鉢の後方かつ便器本体の左右の一方側に配置しているため、下方空間に余裕を生じる。このため、他方側の空間を洋風水洗式便器の他の機能装置を配置するために利用できることから、便鉢の後方の下方空間の全体を利用することが可能になる。
【０００９】
また、この洋風水洗式便器では、給水装置の給水口から吐水口までの給水路は、左右方向の屈曲回数が少なく、圧力損失の小さいものとなる。このため、この給水路を通過する洗浄水は、水圧の低下が少なく、勢い良く便鉢へ吐水されることとなる。
【００１０】
したがって、本発明の洋風水洗式便器では、便鉢の後方の下方空間を有効に利用し、かつ洗浄水を良好に便鉢に供給することができる。
【００１１】
本発明の洋風水洗式便器において、給水装置は、便鉢の後方に外周壁によって囲まれた収納空間に一部が上方に突出されて収納されていることが好ましい。この場合、外周壁によって給水装置を外部から保護するとともに、便器本体の便鉢の後方をすっきりした外観にすることができる。また、上方に突出する部分にこの給水装置の接続部や開閉弁等の駆動機構を配置することにより、施工及びメンテナンスを容易に行なうことができる。
【００１２】
本発明の洋風水洗式便器において、給水装置は、給水管と給水口により連通する第１導水管に対し、止水弁機構、ストレーナ、開閉弁機構及びバキュームブレーカー機構がこの順で設けられ、便鉢に吐水口から洗浄水を供給する給水部と、
給水部の下流と連通し、エゼクタ及びタンクがこの順で設けられた準備部と、
タンクと連通し、便鉢に吐水口から洗浄水を供給する第２導水管とを有し得る。そして、給水部、準備部及び第２導水管が一方側に配置されていることが好ましい。
【００１３】
この場合、給水装置を構成する給水部、準備部及び第２導水管は、左右方向の屈曲回数が少なく、圧力損失の小さいものとなる。このため、この給水部、準備部及び第２導水管を通過する洗浄水は、水圧の低下が少なく、勢い良く便鉢へ吐水されることとなる。
【００１４】
本発明の洋風水洗式便器において、開閉弁機構、バキュームブレーカー機構、エゼクタ及びタンクは設置時に上方からこの順で縦に配置されていることが好ましい。この場合、洗浄水はエゼクタ内を勢い良く流下するため、エゼクタが空気を良好に吸引することができる。このため、大量の空気を短時間でタンク内に流入させ、蓄積させることができる。タンク内に大量の空気が短時間に増加することにより、タンク内に貯留された洗浄水が短時間に便鉢へ押し出される。
【００１５】
本発明の洋風水洗式便器は、便器排水路から空気を吸引する吸気装置をさらに備え得る。そして、吸気装置は便鉢後方かつ便器本体の左右の他方側に配置されていることが好ましい。
【００１６】
この場合、空いている他方側の下方空間を利用して吸気装置を収納するため、便鉢の後方の下方空間をより有効に利用することができる。また、吸気装置によって便器排水路から空気を吸引することにより、短時間に便器排水路内が洗浄水で満水状態になるため、少ない洗浄水で早期にサイホン作用が発生し、排出流を形成することができる。
【００１７】
吸気装置としては、種々のものを採用することができる。例えば、電気式の吸引ポンプの他、洗浄水を供給することにより負圧を発生させるエゼクタ等を採用することができる。
【００１８】
本発明の洋風水洗式便器において、吸気装置は便器排水路の上方に配置されていることが好ましい。この場合、便器排水路の上方かつ便器本体の上面より下方の空間も利用することができるため、さらに便鉢の後方の下方空間を有効に利用することができる。また、便器排水路の上方の最も近い位置に吸気装置を配置できるため、吸気装置と便器排水路との接続を容易かつ確実に行なうことができる。
【発明を実施するための最良の形態】
【００１９】
以下、本発明を具体化した実施例を図面を参照しつつ説明する。
【実施例】
【００２０】
図１及び図２に示すように、この洋風水洗式便器は、便器本体１、給水装置１００及び吸気装置２００を備えている。なお、便座及び便蓋の図示は省略する。
【００２１】
便器本体１は、便器本体１の外周壁１Ｗ内で便鉢２より後方に上下が開放した収納空間１Ｓを有している。また、便器本体１は便鉢２の上部内周にリム３を有している。また、図３に示すように、便器本体１には便鉢２の下端から上方に延びる上昇流路２ｂが形成され、便鉢２の下方には水封部４が形成されている。
【００２２】
図４に示すように、便器本体１の上昇流路２ｂは、収納空間１Ｓ内で接続管８に接続されている。接続管８は排水接続管９に接続されている。排水接続管９はとぐろを巻いた形状に形成され、図３に示すように、途中に洗浄水が滞留して上流側と下流側とを封鎖する滞留部６を有している。排水接続管９の下端７は床面から立ち上げられた床排水管に接続されている。上昇流路２ｂ、接続管８及び排水接続管９により形成され、水封部４の下流側かつ滞留部６の上流側が便器排水路５である。
【００２３】
図３に示すように、給水装置１００は、水道管の止水栓Ｖ４に接続された給水管１０に給水口１１０が接続されている。水道管は便器本体１が据え付けられるトイレルームの床面又は壁面から引き込まれている。また、図１及び図２に示すように、給水装置１００は、リムノズル１９０に設けられた吐水口１９５からリム３に洗浄水を吐水する。リム３に吐水された洗浄水は、便鉢２の内面に沿って旋回しながら流れ落ち、便鉢２内に旋回流を形成する。
【００２４】
また、図３に示すように、給水装置１００は、給水口１１０の下流側にボール式の止水弁１２０、ストレーナ１３０、定流量弁１４０、第１開閉弁Ｖ１及び一軸式のバキュームブレーカー１５０をこの順に内蔵する第１導水管１００Ｍからなる給水部１００Ｋを有している。
【００２５】
また、給水装置１００は、給水部１００Ｋの下流に、エゼクタ１６０及びタンク１７０がこの順で設けられた準備部１００Ｊを有している。エゼクタ１６０は、吸気口１６１を有している。吸気口１６１には、逆止弁Ｖ５が設けられ、大気に連通する吸気管２０が接続されている。吸気管２０は第２開閉弁Ｖ２により開閉される。
【００２６】
給水部１００Ｋの第１開閉弁Ｖ１及びバキュームブレーカー１５０並びに準備部１００Ｊのエゼクタ１６０及びタンク１７０は、上方からこの順で縦に配置されているため、洗浄水はエゼクタ１６０内を勢い良く流下する。このため、エゼクタ１６０は、大量の空気を短時間で吸引し、タンク１７０内に流入させることができる。
【００２７】
エゼクタ１６０から吐水される空気を含んだ洗浄水は、ノズル１７１を介してタンク１７０の流入室１７２内に流入する。流入した洗浄水は、旋回流を形成し、空気を分離しながらタンク１７０内に貯留される。
【００２８】
流入室１７２の上壁に設けられた大気口１７３には、大気に連通する連通管３０が接続されている。連通管３０は第３開閉弁Ｖ３により開閉される。流入室１７２内で洗浄水から分離された空気は、第３開閉弁Ｖ３が閉弁していると流入室１７２の上部に溜まり、第３開閉弁Ｖ３が開弁していると大気へ放出される。
【００２９】
タンク１７０は、流入室１７２と、この流入室１７２と底部で連通する流出室１７４とを有している。流出室１７４の上壁に設けられた流出口１７５には、送出管１８０とリムノズル１９０とからなる第２導水管１００Ｌが接続されている。図２に示すように、吐水口１９５が設けられたリムノズル１９０は、リム３に連通するリム吐水室３Ｓの後端壁の開口に接続されている。
【００３０】
図１及び図２に示すように、エゼクタ１６０及びタンク１７０の準備部１００Ｊは、収納空間１Ｓ内に収納されている。タンク１７０は吊下げフレーム３００内に収納され、吊下げフレーム３００は、外周壁１Ｗの上端から吊下げられている。このため、エゼクタ１６０及びタンク１７０は外周壁１Ｗによって外部から保護されるとともに、便器本体１の便鉢２の後方をすっきりした外観にすることができる。
【００３１】
また、給水部１００Ｋは、立上げフレーム３１０によって外周壁１Ｗの上端より上方に組み付けられている。このため、バキュームブレーカー１５０が便器本体１の上面より上方に位置するため、汚水が上流側に逆流することを確実に防止することができる。
【００３２】
また、図１及び図４に示すように、給水装置１００を構成する給水部１００Ｋ、準備部１００Ｊ及び第２導水管１００Ｌは、接続管８及び排水接続管９よりも右側に配置され、第１導水管１００Ｍ、エゼクタ１６０及び第２導水管１００Ｌは、平面視で略一直線上に配置され、左右方向に屈曲していない。このため、給水装置１００は圧力損失の少ないものとなっている。
【００３３】
図４に示すように、吸気装置２００は、図示しない電気式の吸引ポンプを内蔵しているものであり、接続管８の上方及び左側に位置した状態で収納空間１Ｓ内に収納されている。また、吸気装置２００は、接続管８から分岐した分岐管８ｐの上端開口に吸気装置２００の下面から突出する吸入口をパッキンを介して挿入することにより分岐管８ｐに接続されている。このため、吸気装置２００を接続管８の上方から配置させることにより、便器排水路５との接続を容易かつ確実に行なえることができる。
【００３４】
図５に示すように、第１開閉弁Ｖ１、第２開閉弁Ｖ２及び第３開閉弁Ｖ３は制御装置Ｃにより開閉タイミング及び開閉時間が制御されている。また、吸気装置２００も制御装置Ｃにより駆動が制御されている。
【００３５】
以上説明したとおり、実施例の洋風水洗式便器は、給水装置１００を便鉢２の後方の便器本体１の右側に配置し、吸気装置２００を便鉢２の後方の便器本体１の左側に配置している。また、第１導水管１００Ｍ、エゼクタ１６０及び第２導水管１００Ｌは、平面視で略一直線上に配置され、左右方向に屈曲していない。
【００３６】
したがって、実施例の洋風水洗式便器は、便鉢２の後方の下方空間を有効に利用し、かつ洗浄水を良好に便鉢２に供給することができる。
【００３７】
次に、実施例の洋風水洗式便器の給水装置１００及び吸気装置２００の作動を説明する。
【００３８】
非洗浄時には、第１開閉弁Ｖ１、第２開閉弁Ｖ２及び第３開閉弁Ｖ３は閉弁している。この状態では、タンク１７０内には洗浄水が貯留されている。
【００３９】
用便後、制御装置Ｃに対して便器洗浄の開始信号を送信する洗浄スイッチを使用者が操作することにより、制御装置Ｃによって第１開閉弁Ｖ１が開弁する。
【００４０】
これにより、洗浄水はエゼクタ１６０を通って流入室１７２内に流入する。流入室１７２内に流入した洗浄水と同じ量の洗浄水が流出室１７４から第２導水管１００Ｌを介してリム３に供給される。リム３に供給された洗浄水は便鉢２の内面に沿って旋回しながら流れ落ち、便鉢２内に旋回流が形成される。この旋回流により、汚物は便鉢２の中央に集められる。なお、この旋回流により、ペーパーは、ほぐれて洗浄水となじみ、洗浄水中に分散する。この際、第２開閉弁Ｖ２が閉弁しているため、エゼクタ１６０が空気を吸引する音を防止している。
【００４１】
所定時間経過後、制御装置Ｃによって吸気装置２００が便器排水路５内の空気を一定量吸引する。この際には、便鉢２内の水位はリム３から供給された洗浄水によって十分に高くなっており、水封部４の最高位部４ａとの間の水頭差が十分に大きなものとなっている。このため、便鉢２内の洗浄水は、この水頭差と便器排水路５内の空気の吸引とにより、短時間に便器排水路５内が洗浄水で満水状態になって、少ない洗浄水で早期にサイホン作用が発生し、排出流が形成される。
【００４２】
この際、便鉢２内に形成された旋回流により便鉢２の中央に集められた汚物は、サイホン作用により便器排水路５へ排水される洗浄水に伴って、便器排水路５へ確実に排出される。
【００４３】
また、便器排水路５は、滞留部６によって下流側と封鎖され、便器排水路５は水封部４と滞留部６との間に存在する閉空間にされている。このため、確実に便器排水路５から一定量の空気を吸引することができるため、サイホン作用を安定して発生させることができる。
【００４４】
便鉢２の水位が便鉢２の最低位部２ａの高さ近傍にまで低下する瞬間、制御装置Ｃによって第２開閉弁Ｖ２を開弁する。これにより、外部の大量の空気が第２開閉弁Ｖ２、吸気管２０、エゼクタ１６０及びノズル１７１を介して流入室１７２内に流入する。このため、流入室１７２内の洗浄水は、流入した大量の空気により流出室１７４及び第２導水管１００Ｌを介してリム３に押し出される。これにより、流入室１７２内の水位は急激に大きく低下する。
【００４５】
便鉢２内の水位が便鉢２の最低位部２ａより低くなり、便器排水路５に便鉢２から空気が流入してサイホン作用が終了する前において、こうしてリム３に供給される洗浄水は、タンク１７０に貯留された洗浄水も加わり、単位時間当たりの供給水量が多くなっている。このため、水封部４は破封せず、便鉢２内の洗浄水は旋回を継続し、サイホン作用も継続する。また、便鉢２内の旋回流も強力になる。さらに、洗浄水の水勢も増加する。このため、便鉢２内に残留する汚物は、便器排水路５内へ押し出され、より確実に排出される。
【００４６】
流入室１７２に空気が充満し、タンク１７０内に貯留された洗浄水がリム３に供給されなくなる前に、制御装置Ｃによって第１開閉弁Ｖ１を閉弁し、吸気装置２００から便器排水路５内に空気を流入させる。これにより、便器排水路５を洗浄水により満水にする状態が維持できず、サイホン作用が終了する。
【００４７】
サイホン作用が終了した後、制御装置Ｃによって第１開閉弁Ｖ１及び第３開閉弁Ｖ３を開弁する。これにより、エゼクタ１６０が外部から空気を吸引しながら流入室１７２に洗浄水が流入する。洗浄水中の空気は、流入室１７２内で良好に分離され、大気口１７３、連通管３０及び第３開閉弁Ｖ３を介して外部に放出される。このため、タンク１７０内の洗浄水は洗浄開始前の所定の水位まで蓄積される。また、流出室１７４から第２導水管１００Ｌを介して洗浄水がリム３に供給され、便鉢２内に洗浄水が溜まり覆水する。その後、制御装置Ｃによって第１開閉弁Ｖ１、第２開閉弁Ｖ２及び第３開閉弁Ｖ３が閉弁され、便器洗浄の待機状態となる。
【産業上の利用可能性】
【００４８】
本発明は洋風水洗式便器に利用可能である。
【図面の簡単な説明】
【００４９】
【図１】実施例の洋風水洗式便器の斜視図である。
【図２】実施例の洋風水洗式便器の横断面図である。
【図３】実施例の洋風水洗式便器の模式図である。
【図４】実施例の洋風水洗式便器の背面断面図である。
【図５】実施例の給水装置及び吸気装置の制御装置を示す模式図である。
【符号の説明】
【００５０】
１…便器本体
２…便鉢
４…水封部
５…便器排水路
１０…給水管
１００…給水装置
１１０…給水口
１９５…吐水口
【図１】
2008240401.tif 000003
【図２】
2008240401.tif 000004
【図３】
2008240401.tif 000005
【図４】
2008240401.tif 000006
【図５】
2008240401.tif 000007